(57)【要約】【課題】  デジタルカメラの撮影画像を電子アルバムとしてコンピュータ画面上に表示する電子アルバムアプリケーションソフトウェアにおいて、撮影画像内に記録されている位置情報と時刻情報に基づき、アルバムに取りこんだ画像を、都市名毎に分類し、任意の基点からの距離と時間の組み合わせによって、アルバムビューワー上に整理表示することを可能とする。【解決手段】  アプリケーションは、各画像データに記録されているGPSデータと時刻情報を読み取り、データベースを参照しながら該当する都市名を取得し、予め設定された起点からの距離順に都市名をソーティングし、さらに各都市名に属する画像を撮影時刻順にソーティングし、アルバムビューワー上に表示する。【選択図】  図２
2006120058.tif 000002
【特許請求の範囲】
【請求項１】
デジタルカメラの撮影画像を電子アルバムとしてコンピュータ画面上に表示および保存することが可能であり、
各画像データに記録されているGPSデータと時刻情報とを読み取る手段と、
GPS情報をもとに都市名を検索可能なデータベースと、
地図上の任意の点を設定するためのユーザーインタフェースとを備えた電子アルバムソフトウェアにおいて、
電子アルバム上の撮影画像をソーティング表示する際に、各画像のGPSデータを基にデータベースからそれらのGPSデータが示す点が属する都市名を夫々取得するとともに、
ユーザーインタフェースによって予め設定された起点からの距離順に都市名をソーティングし、
各都市名に属する画像を撮影時刻順にソーティングする事を特徴とする、電子アルバム表示方法。
【請求項２】
起点からの半径を指定する事により、指定された円状の範囲内に存在する都市で撮影された画像を撮影時刻順にソーティングする事を特徴とする、請求項１に記載の電子アルバム表示方法。
【請求項３】
撮影時刻の代わりに、UTC(グリニッジ標準時刻)を用いる事を特徴とする、請求項１および２に記載の電子アルバム表示方法。
【発明の詳細な説明】
【技術分野】
【０００１】
本発明は電子アルバムアプリケーションソフトウェアにおける画像の表示方法に関する。
【背景技術】
【０００２】
従来の電子アルバムアプリケーションでは、デジタルカメラの撮影画像を表示する際の並びは、日付順や、ファイル名順などが一般的であり、撮影場所毎に整理表示しようとする場合には、予め各画像にキーワードを埋め込んでおくか、もしくは撮影場所毎にフォルダを作成し、予め各画像を分類していた。（例えば、特許文献１参照）
【特許文献１】特開２００１−２８２８１３公報
【発明の開示】
【発明が解決しようとする課題】
【０００３】
従来の技術では、撮影場所毎に整理表示しようとする場合には、ユーザーが手作業で写真の配置を移動させるか、自動で行う場合には、予め各画像に撮影場所を識別するキーワードを埋め込んでおくか、もしくは撮影場所毎にフォルダを作成し、予め各画像を分類しておく必要があり、画像を撮影場所毎に整理表示した電子アルバムを作成するには、多大な作業が必要であった。
【課題を解決するための手段】
【０００４】
本発明では、電子アルバム上の画像のソーティング時に、各画像データに記録されているGPSデータと時刻情報を読み取り、データベースを参照しながら該当する都市名を取得し、ユーザー任意の起点からの距離順に都市名をソーティングすることにより、予め各画像にキーワードを埋め込んだり、ユーザー自身が画像をフォルダに分類したりすることなく、自動的に撮影場所毎に画像を分類表示することが可能でとなった。
【発明の効果】
【０００５】
以上説明した様に、本発明によれば、電子アルバム上の画像をソーティングする際に、アプリケーションが自動的に各画像データに記録されているGPSデータと時刻情報を読み取り、撮影した都市ごとに画像を分類整理して表示するので、ユーザーが予め各画像にキーワードを埋め込んだり、画像をフォルダに分類することが不要になった。
【０００６】
さらに、ソーティングは、ユーザーの自宅など任意の起点から撮影場所までの距離の近い順に行われるため、今までに行った場所の距離を実感でき、ユーザーが出かけた先の思い出を振り返るのに適した電子アルバムを簡単に作成することが可能となった。
【発明を実施するための最良の形態】
【０００７】
以下、本発明の実施の形態を、一実施例に基き、図面を参照しながら説明する。
【０００８】
図１、図２および図３は、それぞれ本実施例の電子アルバムアプリケーションソフトウェアにおける画像の表示方法のフロー、本実施例の電子アルバムアプリケーションソフトウェアのモジュール構成の一例およびユーザーインタフェースの具体例である。
【０００９】
電子アルバム上の画像に対してソーティング要求が発生すると、アプリケーションは、先ずステップ１１で、図２に示すExifタグ解析部２１によって、画像ファイルのExifタグを解析し、記録されているGPSデータと時刻情報を取得し、データ処理部２１に渡す。
【００１０】
続くステップ１２では、データ処理部２２は、デ一タベース２１を参照し、ステップ１１で取得したGPSデータに対応する都市名を取得し、画像ファイル名と都市名と時刻情報をリンク情報として、管理メモリ２５に記憶する。
【００１１】
次のステップ１３では、データ処理部２２は、ユーザーインタフェース制御部２４から、ユーザーが図３に示すユーザーインタフェース上の設定エリア３１で設定した起点および撮影日時による順序の降順または昇順の設定を取得する。
【００１２】
続くステップ１４では、データ処理部２２は、ステップ１３で取得した起点からステップ１２で取得した都市の中心までの距離を、夫々の緯度と経度を用いて計算し、計算結果を管理メモリ２５に記憶する。この時、都市の中心地点の緯度と経度は、データベース２３から取得する。
【００１３】
ステップ１１からステップ１４までの操作を全ての画像に対して行う。
【００１４】
続くステップ１５では、データ処理部２２は、ステップ１４において管理メモリ２５に記憶された距離を比較し、夫々の都市名に対して、距離の短い順に順位を与える。
【００１５】
続くステップ１６では、データ処理部２２は、ステップ１２で管理メモリ２５に記憶されているリンク情報と、ステップ１５で定めた都市名の順位に基き、全ての画像を、都市名の順位でソーティングした後、さらに夫々の都市名に属する画像ファイルを、ステップ１３で取得した設定に基き、撮影日時の順にソーティングし、総合順位を決定するとともに管理メモリ２５に記憶する。
【００１６】
図４に示したリストは決定された総合順位の具体例であり、起点を東京とし撮影日時による順序を昇順に設定した場合である。
【００１７】
次のステップ１７において、ユーザーインタフェース制御部２４は、ステップ１６において管理メモリ２５に記憶された総合順位に基き、画像を図３に示すアルバムビューワー３２上に表示する。
【００１８】
この時、ユーザーインタフェースによる設定に基き、アルバムページ３３上に撮影年月日や場所などをページタイトルとして、表示することも可能である。
【図面の簡単な説明】
【００１９】
【図１】本実施例の電子アルバムアプリケーションソフトウェアにおける、画像の表示方法のフローチャート。
【図２】本実施例の電子アルバムアプリケーションソフトウェアのモジュール構成の例を示す図。
【図３】本実施例の電子アルバムアプリケーションソフトウェアのユーザーインタフェースの具体例を示す図。
【図４】都市名と撮影日時を組み合わせてソーティングした順序の具体例を示すリスト。
【符号の説明】
【００２０】
２１  Exifタグ解析部
２２  データ処理部
２３  データベース
２４  ユーザーインタフェース制御部
２５  管理メモリ
３１  設定エリア
３２  アルバムビューワー
３３  アルバムページ
３４  画像
【図１】
2006120058.tif 000003
【図２】
2006120058.tif 000004
【図３】
2006120058.tif 000005
【図４】
2006120058.tif 000006